(57)【要約】【課題】止水剤が芯線の下側にまでムラなく回り込んで、芯線間の止水を確実に行うことができる端子を提供する。【解決手段】端子１は、電線の芯線の収束部であり、電気機器等に接続される側である前足部１３と、電線の被覆の収束部であり、電線が挿入される側である、被覆を加締めるための加締爪が形成された後足部１１と、前足部１３と後足部１１とをつなぐ部位であるつなぎ部１２と、から基本構成されている。特に、つなぎ部１２の後足部１１に近い内壁には、穴１５が穿設されている。この穴１５は、電線２が端子１にセットされたときに少なくとも芯線２２の一部、好ましくは、被覆２１のエッジが露呈するような位置に設けられている。【選択図】図３
2006092994.tif 000002
【特許請求の範囲】
【請求項１】
芯線が被覆から露出されて束ねられた電線が取り付けられる端子であって、
前記芯線の収束部であり、電気機器等に接続される側である前足部と、
前記被覆の収束部であり、前記被覆を加締めるための加締爪が形成され、前記電線が挿入される側である後足部と、
前記前足部と前記後足部とをつなぐ部位であるつなぎ部と、から構成され、
前記前足部、前記後足部及び／又は前記つなぎ部に、前記電線がセットされたときに少なくとも前記芯線の一部が露呈するような穴を設けた、
ことを特徴とする端子。
【請求項２】
請求項１記載の端子において、
前記穴は、前記被覆のエッジが露呈するように設けられている、
ことを特徴とする端子。
【請求項３】
請求項２記載の端子において、
前記穴は、前記エッジに沿った横長形状をしている、
ことを特徴とする端子。
【発明の詳細な説明】
【技術分野】
【０００１】
本発明は、電線に取り付けられる端子に関し、特に、止水剤（又は防水剤、以下単に止水剤とよぶ）を芯線の下側にまでムラなく回り込ませることができる端子に関する。
【背景技術】
【０００２】
ワイヤーハーネスの組み付け工程においては、端子に挿入された電線を固定するための加締め等の処理が行われた後に防水処理や止水処理が施される。このような組み付け工程において発生する従来の問題点を、以下に図面を用いて説明する。
【０００３】
図７は、従来のこの種の端子の構造を説明するための斜視図である。図８は、従来の端子の問題点を説明するための図である。なお、図８における参照番号が指す部位は、図７における同参照番号が指す部位に対応する。
【０００４】
図７に示すように、従来の端子９は、先端側に電気機器等の端子接続部に接続するための挿通穴９３が設けられた電気接続部９２を有し、基端側に電線２の被覆２１上を加締めるための加締爪９１を有している。そして、この加締爪９１が加締められて電線２の被覆２１が固定されている。また、被覆２１から所定長だけ露出された芯線２２は、電極又はホーン等にて加圧され、熱圧着又は超音波接合等が施されている。
【０００５】
そして、この後、防水処理や止水処理が施される。防水処理や止水処理には、図８に示すように、筒状のホットメルト付熱収縮チューブ９９が用いられる。そして、このホットメルト付熱収縮チューブ９９を電線２の芯線２２及びその前後を覆うように装着した後、過熱処理により止水剤であるホットメルトを溶かして、この止水剤を芯線２２の間にしみこませ、芯線間の止水処理を行うようにしている。
【０００６】
なお、上記従来の電線に関連する先行技術文献情報としては次のものがある。
【特許文献１】特開平１０−１２５３６３号公報
【発明の開示】
【発明が解決しようとする課題】
【０００７】
ところが、上述した従来の端子の構造によると、ホットメルト付熱収縮チューブ９９が被せられた部分全体の防水は達成されるが、端子９の下面が密閉されているため、図８中矢印で示すように、芯線２２の下側にまで止水剤が回り込むことができない。したがって、従来の端子の構造では、芯線間の止水を十分に行うことができないという問題があった。
【０００８】
よって本発明は、上述した現状に鑑み、止水剤が芯線の下側にまでムラなく回り込んで、芯線間の止水を確実に行うことができる端子を提供することを課題としている。
【課題を解決するための手段】
【０００９】
上記課題を解決するためになされた請求項１記載の端子は、芯線が被覆から露出されて束ねられた電線が取り付けられる端子であって、前記芯線の収束部であり、電気機器等に接続される側である前足部と、前記被覆の収束部であり、前記被覆を加締めるための加締爪が形成され、前記電線が挿入される側である後足部と、前記前足部と前記後足部とをつなぐ部位であるつなぎ部と、から構成され、前記前足部、前記後足部及び／又は前記つなぎ部に、前記電線がセットされたときに少なくとも前記芯線の一部が露呈するような穴を設けた、ことを特徴とする。
【００１０】
請求項１記載の発明によれば、前足部、後足部及び／又はつなぎ部に、電線がセットされたときに少なくとも芯線の一部が露呈するような穴が設けられている。よって、この穴を介して、止水剤が芯線の下側にまでムラなく回り込むようになる。
【００１１】
上記課題を解決するためになされた請求項２記載の端子は、請求項１記載の端子において、前記穴は、前記被覆のエッジが露呈するように設けられている、ことを特徴とする。
【００１２】
請求項２記載の発明によれば、穴は被覆のエッジが露呈するように設けられている。被覆のエッジが露呈すると、いうまでもなく、芯線の一部も露呈する。よって、この穴を介して、セットされた電線の長手方向の位置ずれを目視できるようになる。
【００１３】
上記課題を解決するためになされた請求項３記載の端子は、請求項２記載の端子において、前記穴は、前記エッジに沿った横長形状をしている、ことを特徴とする。
【００１４】
請求項３記載の発明によれば、穴はエッジに沿った横長形状をしている。よって、この横長形状の穴を介して、位置ずれの目視がより簡単になると共に、止水剤の回り込みがより確実になる。
【発明の効果】
【００１５】
請求項１記載の発明によれば、前足部、後足部及び／又はつなぎ部に、電線がセットされたときに少なくとも芯線の一部が露呈するような穴が設けられている。よって、この穴を介して、止水剤が芯線の下側にまでムラなく回り込むようになる。したがって、芯線間の止水を確実に行うことができる。
【００１６】
請求項２記載の発明によれば、穴は被覆のエッジが露呈するように設けられている。被覆のエッジが露呈すると、いうまでもなく、芯線の一部も露呈する。よって、この穴を介して、セットされた電線の長手方向の位置ずれを目視できるようになる。したがって、電線を正規の位置に確実にセットできるという効果が付加される。また、電線が正規の位置にセットされると、この穴を介して、止水剤が芯線の下側にまでムラなく確実に回り込み、芯線間の止水をより確実に行うことができるようになる。
【００１７】
請求項３記載の発明によれば、穴はエッジに沿った横長形状をしている。よって、この横長形状の穴を介して、位置ずれの目視がより簡単になると共に、止水剤の回り込みがより確実になる。したがって、芯線間の止水をより確実に行うことができるようになる。
【発明を実施するための最良の形態】
【００１８】
以下、本発明の実施の形態を図面に基づいて説明する。図１は、本発明の一実施形態に係る端子の構造を示す側断面図である。図１は、本発明の一実施形態に係る端子の構造を示す斜視図である。図２は、本発明の一実施形態に係る端子の構造を示す背面図である。図３は、本発明の一実施形態に係る端子の作用効果を説明するための図である。なお、図３における参照番号が指す部位は、図１〜図２における同参照番号が指す部位に対応する。
【００１９】
本端子１は、導線性を有する金属で一体形成されており、図１及び図２に示すように、電線の芯線の収束部であり、電気機器等に接続される側である前足部１３と、電線の被覆の収束部であり、電線が挿入される側である、被覆を加締めるための加締爪が形成された後足部１１と、前足部１３と後足部１１とをつなぐ部位であるつなぎ部１２と、から基本構成されている。端子１には、例えば、複数本の電線２が束ねらた撚り線が取り付けられる。それぞれの電線２においては、芯線２２が被覆２１から所定長だけ露出されている。
【００２０】
図１に示すように、後足部１１は、開いた状態になっており、一対の舌状の加締爪が立設されている。一対の加締爪は、折り曲げられたときには、重複しないように立設されている。また、前足部１３は、芯線２２が挿入可能なストロー状に形成され、カギ状に折り曲げられた先端部１４を有している。そして、つなぎ部１２は、先割れストロースプーンのような半とじ状に形成されている。つなぎ部１２の内縁は、つぶし又は面取り１２１が形成されている。
【００２１】
特に、つなぎ部１２の後足部１１に近い内壁（半とじになっていない部位）には、穴１５が穿設されている。この穴１５は、電線２が端子１にセットされたときに少なくとも芯線２２の一部、好ましくは、被覆２１のエッジ（いうまでもなく、芯線２２の一部も）が露呈するような位置に設けられている。なお、端子１の詳細は、図４〜図６を用いた説明でより明確になる。
【００２２】
電線２を端子１に取り付けるときには、芯線２２が被覆２１から露出された電線２を、図１中、矢印方向に挿入する。次に、芯線２２にほつれや折り返しがない状態で、電線２が端子１にセットされ、加締爪が折り曲げられると、図３に示すような状態になる。このとき、図３に示すように、電線２の被覆２１が後足部１１に対応し、芯線２２が前足部１３に対応し、被覆２１のエッジが穴１５に対応するようにセットされる。そして、前足部１３が加締められて、電線２が端子１に固定される。この後、上述したようなホットメルト付熱収縮チューブ９９を端子１全体を覆うように装着した後、過熱処理により止水剤であるホットメルトを溶かして、この止水剤を芯線２２の間にしみこませ、芯線間の止水処理を行うようにしている。
【００２３】
図３に示すように、穴１５は電線２が端子１にセットされたときに少なくとも芯線２２の一部が露呈するような位置に設けられているので、止水処理時、図３中矢印で示すように、穴１５を介して、止水剤が芯線２２の下側にまでムラなく回り込む。したがって、芯線間の止水を確実に行うことができる。勿論、ホットメルト付熱収縮チューブ９９が被せられた部分全体の防水も達成される。
【００２４】
特に、穴１５は被覆２１のエッジが露呈するように設けられている。被覆２１のエッジが露呈すると、いうまでもなく、芯線２２の一部も露呈する。よって、この穴１５を介して、セットされた電線２の長手方向の位置ずれを目視できるようになる（図２参照）。したがって、電線２を正規の位置に確実にセットできる。電線２が正規の位置にセットされると、この穴１５を介して、止水剤が芯線の下側にまでムラなく確実に回り込み、芯線間の止水をより確実に行うことができる。
【００２５】
更に、図２に示すように、穴１５はエッジに沿った横長形状、例えば、楕円形状をしている。よって、この穴１５を介して、位置ずれの目視がより簡単になると共に、止水剤の回り込みがより確実になる。したがって、芯線間の止水をより確実に行うことができる。
【００２６】
続いて、図４〜図６を用いて、端子１の構造を詳細に説明する。図４（Ａ）、図４（Ｂ）及び図４（Ｃ）はそれぞれ、本発明の一実施形態に係る端子の上面図、正面図及び側面図である。図５（Ａ）及び図５（Ｂ）はそれぞれ、図４におけるＸＸ線断面図及びＹＹ線断面図である。図６は、本発明の一実施形態に係る端子を展開した図である。
【００２７】
図４（Ａ）〜図４（Ｃ）、図５（Ａ）〜図５（Ｂ）に示すように、本端子１は、前足部１３と、加締爪が形成された後足部１１と、つなぎ部１２と、から基本構成されている。後足部１１は、開いた状態になっている。後足部１１の加締爪は、対になって立設されているが、折り曲げられたときには、重複しないようになっている。対になった加締爪は、逆ハ字状に立設されている。
【００２８】
図４（Ａ）〜図４（Ｃ）、図５（Ａ）〜図５（Ｂ）に示すように、つなぎ部１２は、先割れストロースプーンのような半とじ状に形成されている。詳しくは、つなぎ部１２は、後足部１１から前足部１３に向かって徐々に狭くなるような半とじ状になっている。つなぎ部１２の内縁には、つぶし又は面取り１２１が形成されている。また、つなぎ部１２の後足部１１に近い内壁（半とじになっていない部位）には、上記穴１５が穿設されている。
【００２９】
また、図４（Ａ）〜図４（Ｃ）、図５（Ａ）〜図５（Ｂ）に示すように、前足部１３は、基本的に、芯線２２が挿入可能なようにストロー状に形成されるが、対になって内側にカギ状に折り曲げられた先端部１４も有している。前足部１３は、合わせ面に形成された凹凸が組み合わされて、ストロー状に折り曲げられている。前足部１３は、芯線２２の外径に対応する大きさになっている。
【００３０】
また、図５（Ａ）に示すように、前足部１３の内壁には３本の凸状のセレーション１６が形成されている。セレーション１６は、電線挿入時の目印となるもので、芯線２２とは垂直方向に形成されている。
【００３１】
なお、端子１は、図１等に示したような形状にされる前は、図６に示すような平面状になっている。図６における参照番号は、上記図１〜図５に付した参照番号と同等の部位を示す。図６に示したような平面形状の端子２に対して、後足部１１が開いた状態に変形され、前足部１３がストロー状に変形され、先端部１４がカギ状に折り曲げられ、つなぎ部１２が半とじ状に変形され、後足部１１と前足部１３との間に段差が設けられて、図１等に示したような形状の端子１が作られる。
【００３２】
以上説明したように、本発明の実施形態によれば、穴１５は電線２が端子１にセットされたときに少なくとも芯線２２の一部、好ましくは、被覆２１のエッジが露呈するような位置に設けられているので、止水処理時、穴１５を介して、止水剤が芯線２２の下側にまでムラなく回り込むようになる。したがって、芯線間の止水を確実に行うことができる。勿論、ホットメルト付熱収縮チューブ９９が被せられた部分全体の防水も達成される。
【００３３】
なお、穴１５は、実施形態では、つなぎ部１２に設けられているが、他の部位であってもよい。また、穴１５は、被覆２１のエッジが露呈するように設けることが好ましいが、止水剤の回り込みの観点からして、必ずしもエッジが露呈するように設ける必要はない。但し、芯線２２の一部は穴１５から露呈する必要がある。更に、穴１５は、複数個設けてもよいし、楕円形状以外の形状であってもよい。
【図面の簡単な説明】
【００３４】
【図１】本発明の一実施形態に係る端子の構造を示す斜視図である。
【図２】本発明の一実施形態に係る端子の構造を示す背面図である。
【図３】本発明の一実施形態に係る端子の作用効果を説明するための図である。
【図４】図４（Ａ）、図４（Ｂ）及び図４（Ｃ）はそれぞれ、本発明の一実施形態に係る端子の上面図、正面図及び側面図である。
【図５】図５（Ａ）及び図５（Ｂ）はそれぞれ、図４におけるＸＸ線断面図及びＹＹ線断面図である。
【図６】本発明の一実施形態に係る端子を展開した図である。
【図７】従来のこの種の端子の構造を説明するための斜視図である。
【図８】従来の端子の問題点を説明するための図である。
【符号の説明】
【００３５】
１  端子
１１  後足部
１２  つなぎ部
１３  前足部
１４  先端部
１５  穴
１６  セレーション
１２１  面取り
【図１】
2006092994.tif 000003
【図２】
2006092994.tif 000004
【図３】
2006092994.tif 000005
【図４】
2006092994.tif 000006
【図５】
2006092994.tif 000007
【図６】
2006092994.tif 000008
【図７】
2006092994.tif 000009
【図８】
2006092994.tif 000010